(57)【要約】      （修正有）【課題】効率よく土のうを製作するための土のう製作補助具を提供する。【解決手段】土のう製作補助具１は、土砂を投入する土砂投入口を備えた蓋体２と、蓋体を載置するスタンド本体とからなり、スタンド本体は、蓋体を保持する保持部と、保持部を支持する複数の脚部と、複数の脚部の間に架設される補強部３３と、補強部に固着される袋掛け部３４とからなり、袋掛け部は、土砂投入口の長さに加えて、複数の土のう袋４を吊下げ可能な長さを備える。【選択図】図５
0003226001.tif 000002
【実用新案登録請求の範囲】
【請求項１】
土のう袋に土砂を充填し土のうを製作するために用いられる土のう製作補助具であって、
土砂を投入する土砂投入口を備えた蓋体と、前記蓋体を載置するスタンド本体とからなり、
前記スタンド本体が、
前記蓋体を保持する保持部と、
前記保持部を支持する複数の脚部と、
前記複数の脚部の間に架設される補強部と、
前記補助部に固着される袋掛け部と
からなることを特徴とする土のう製作補助具。
【請求項２】
前記スタンド本体が、少なくとも４本の脚部で略直方体形状を形成し、対向する側面を形成する前記脚部に前記補強部が架設され、前記補強部に袋掛け部が固着されて一対をなし、
前記補強部に固着される一対の袋掛け部が、前記蓋体の土砂投入口の長さに加えて、複数の土のう袋を吊下げ可能な長さを備えてなることを特徴とする請求項１に記載の土のう製作補助具。
【請求項３】
前記蓋体が、スタンド本体に開閉自在に取り付けられてなることを特徴とする請求項１に記載の土のう製作補助具。
【請求項４】
請求項１〜３のいずれか一項に記載の土のう製作補助具に用いられる土のう袋であって、土のう袋本体の上部開口部の周縁に、前記袋掛け部に吊下げるための係止手段を設けてなることを特徴とする土のう製作補助具用土のう袋。
【考案の詳細な説明】
【技術分野】
【０００１】
本考案は、効率よく土のうを製作するための土のう製作補助具及び土のう袋に関する。
【背景技術】
【０００２】
従来より、川や海の護岸、災害時の水の浸入対策、建築土木現場の土砂の浸食や崩落対策など、様々な用途で土のうが使われている。
土のうは、麻やポリエチレンで作られた土のう袋の中に、土や砂を詰めたものであり、これをたくさん積み上げて堰や壁を作り用いられる。
一般に土のうの製作は、一人では非常に作りにくいことから、少なくとも二人以上で作業する。その場合、一人が土のう袋を開口して持ち、他の者は土砂をスコップなどで掘り起こし投入する。そのため、土のうの製作は手間がかかり、かつ作業時間もかかり、災害時など、たくさんの土のうが求められている場合には、非効率であることが問題となっていた。
また、土のう袋の中に土砂をスコップで詰め込む作業が重労働であることは言うまでもないが、どんどん土砂が投入される土のう袋の開口を維持しながら支える作業も容易ではない。
【０００３】
上記のような問題を解決するために、土のう袋の開口を維持し、一人でも土のうを製作できる道具や器具が開示されている。
特開２０１３−１２２６７号公報（特許文献１）には、「筒状の容器の上部より下部分に細くし上部部分をらっぱ状に折り返し、折り返し部分に取っ手穴を設けた土のう袋容器。」が開示されており、土のう袋の中にこの容器を入れ、土のう袋のヒモを前記容器の上部にある取っ手穴に固定した後に、土のう袋に土砂等を入れ、入れ終わったらこの容器を持ち上げ取り出し、土のう袋のヒモをくくり土のうを製作するものであり、この容器を使えば、土のう袋を開口して持っている必要はなく、一人でも作業ができる。
【０００４】
また、土のう袋の着脱が容易で、土のう袋を確実に装着することのできる土のう作成具として、実用新案登録第３１７８２２２号公報（特許文献２）には、「 土のう袋の開口部を保持する保持枠と、台座部と、該保持枠を該台座部上に立設支持する支持部材とを備えた土のう作成具であって、前記保持枠は、前記支持部材に固着した固定保持枠と、該固定保持枠の上部両端に回動可能に軸支された回動保持枠とからなり、前記回動保持枠の一端から下方に延出した作動片の端部に、前記台座部上に揺動可能に軸支された操作ペダルに連結した作動棒が上下動可能に軸支され、前記作動棒を下方に引っ張る付勢手段により、操作ペダル踏込時には、前記回動保持枠が前記固定保持枠に対して後方に回動して折れ曲がり、操作ペダル復帰時には、該回動保持枠が該固定保持枠に対して前方に回動して直立し、略矩形状の前記保持枠を形成することを特徴とする土のう作成具。」が開示されている。
この土のう作成具によれば、操作ペダル踏込時には、回動保持枠が固定保持枠に対して後方に回動して折れ曲がるので、回動保持枠の上端部と、固定保持枠の下端部との間隔が狭まり、容易に土のう袋の開口部を保持枠に着脱することができる。また、操作ペダル復帰時には、付勢手段により回動保持枠が固定保持枠に対して前方に回動して直立して略矩形状の保持枠を形成するため、土のう袋の開口部が保持枠に対して張架され、確実に土のう袋の開口部を保持枠に装着することができ、土のう袋の装着がストレスなくでき、かつ土のう袋を開口して持つ必要がない。
【先行技術文献】
【特許文献】
【０００５】
【特許文献１】特開２０１３−１２２６７号公報
【特許文献２】実用新案登録第３１７８２２２号公報
【考案の概要】
【考案が解決しようとする課題】
【０００６】
上記特許文献１や２に開示された容器や作成具を使うことで、人の手を借りることなく土のう袋の開口が維持でき、一人でも土のうを製作することができる。
しかし、特許文献１で開示されている土のう袋容器は、土のうを作る度に、土のう袋の中に該容器を入れなければならず手間がかかり、また土砂を詰めた後には、この容器を土のう袋の中から抜き取らなければならず、この作業も一苦労である。
また、特許文献２は、構造が複雑であり誰でも直感的にすぐに使えるものではなく、かつ災害時や工事現場などの過酷な使用に対する耐久性に問題があり、さらには、土のう袋を１つずつ装着しなければならず大量に土のうを製作する場合など効率がよくない。
【０００７】
本考案は、上記のような問題点に鑑み、無駄な作業がなく効率よく一人でも容易に土のうを製作することができる土のう製作補助具を提供することを目的とする。
【課題を解決するための手段】
【０００８】
本考案者は上記課題を下記の手段により解決した。
（１）土のう袋に土砂を充填し、土のうを製作するために用いられる土のう製作補助具であって、土砂を投入する土砂投入口を備えた蓋体と、前記蓋体を載置するスタンド本体とからなり、前記スタンド本体が、前記蓋体を保持する保持部と、前記保持部を支持する複数の脚部と、前記複数の脚部の間に架設される補強部と、前記補助部に固着される袋掛け部とからなることを特徴とする土のう製作補助具。
（２）前記スタンド本体が、少なくとも４本の脚部で略直方体形状を形成し、対向する側面を形成する前記脚部に前記補強部が架設され、前記補強部に袋掛け部が固着されて一対をなし、前記補強部に固着される一対の袋掛け部が、前記蓋体の土砂投入口の長さに加えて、複数の土のう袋を吊下げ可能な長さを備えてなることを特徴とする前記（１）に記載の土のう製作補助具。
（３）前記蓋体が、スタンド本体に開閉自在に取り付けられてなることを特徴とする前記（１）に記載の土のう製作補助具。
（４）前記（１）〜（３）のいずれか一つに記載の土のう製作補助具に用いられる土のう袋であって、土のう袋本体の上部開口部の周縁に、前記袋掛け部に吊下げるための係止手段を設けてなることを特徴とする土のう製作補助具用土のう袋。
【考案の効果】
【０００９】
本考案の土のう製作補助具によって、下記の効果が発揮される。
本考案にかかる土のう製作補助具は、土砂を投入する土砂投入口を備えた蓋体と、前記蓋体を載置するスタンド本体とからなり、前記スタンド本体が、前記蓋体を保持する保持部と、前記保持部を支持する複数の脚部と、前記複数の脚部の間に架設される補強部と、前記補助部に固着される袋掛け部とからなるので、シンプルな構造で誰でも直感的に使うことができ、かつ過酷な現場での使用に十分耐えうる耐久性を備える。
【００１０】
前記スタンド本体が、少なくとも４本の脚部で略直方体形状を形成し、対向する側面を形成する前記脚部に前記補強部が架設され、前記補強部に袋掛け部が固着されて一対をなし、前記補強部に固着される一対の袋掛け部が、前記蓋体の土砂投入口の長さに加えて、複数の土のう袋を吊下げ可能な長さを備えてなるので、あらかじめ袋掛け部に複数の土のう袋を吊り下げてセットしておけば、１個の土のうを製作した後、吊り下がっている土のう袋を前方にスライドさせて開口するだけで、次の土のう袋への土砂の投入が可能となり、効率よく土のうを製作することができる。
さらに、本考案にかかる土のう製作補助具は、前記蓋体が、スタンド本体に開閉自在に取り付けられてなるので、袋掛け部への土のう袋の吊り下げ作業時には、蓋体を開いて行うことができ、より作業効率の優れたものとなっている。
【００１１】
また、本考案にかかる土のう製作補助具に用いられる土のう袋は、土のう袋本体の上部開口部の周縁に、前記袋掛け部に吊下げるための係止手段を設けてなるので、安定して確実にかつ容易に前記土のう製作補助具に吊下げることができる。
【図面の簡単な説明】
【００１２】
【図１】本考案にかかる土のう製作補助具の一実施例の斜視図
【図２】本考案にかかる土のう製作補助具の蓋体を開いた状態を示す図
【図３】本考案にかかる土のう製作補助具の説明図
【図４】本考案にかかる土のう製作補助具の使用方法の説明図
【図５】本考案にかかる土のう製作補助具の使用方法の説明図
【図６】本考案にかかる土のう製作補助具に用いられる土のう袋の説明図
【考案を実施するための形態】
【００１３】
本考案の土のう製作補助具の一実施例を、図に基づいて説明する。
図１は本考案にかかる土のう製作補助具の一実施例の斜視図、図２は本考案にかかる土のう製作補助具の蓋体を開いた状態を示す図、図３は本考案にかかる土のう製作補助具の説明図、図４及び図５は本考案にかかる土のう製作補助具の使用方法の説明図である。また、図６は本考案にかかる土のう製作補助具に用いられる土のう袋の説明である。
図中、１は土のう製作補助具、２は蓋体、２１は土砂投入口、３はスタンド本体、３１は保持部、３２（３２ａ〜ｄ）は脚部、３３は補強部、３４は袋掛け部である。そして、４は土のう袋、４０は土のう袋本体、４０ａは開口部、４１は係止手段、４２は紐である。
【００１４】
本考案にかかる土のう製作補助具１は、図１の本考案にかかる土のう製作補助具の一実施例の斜視図及び図２の本考案にかかる土のう製作補助具の蓋体を開いた状態を示す図に示すように、土砂を投入する土砂投入口２１を備えた蓋体２と、前記蓋体２を載置するスタンド本体３とからなる。
前記蓋体２は、前記スタンド本体３の上端部に安定的に載置される。そして前記蓋体２には作業者が土のう袋に土砂を投入しやすいように土砂投入口２１が設けられている。作業時には、前記土砂投入口２１の下方に土のう袋が配置され、投入される土砂が周囲に飛び散らずに確実に土のう袋へ導入される構成となっている。例えば、図に示すように、土砂投入口２１を円形に形成し、下方内側に傾斜させ、その先に前記土砂投入口２１より小径の円筒を設けるとより効果的である。
なお、本実施例においては、土砂投入口２１は円形状であるが、特に形状を限定するものではなく、土砂を確実に土のう袋の中へ投入できる形状であれば、楕円形状や多角形状であってもよい。
また、本実施例において蓋体２は平面の長方形で構成されているが、スタンド本体３の上端部に安定的に載置されるものであれば、楕円形状であってもよく、また、蓋体２自体を土砂投入口２１へ向かって下方傾斜する形状とすることもできる。
前記蓋体２は、スタンド本体３に開閉自在に取り付けられる。開閉自在とすることで、後述する袋掛け部３４に土のう袋４を吊下げる作業が容易となる。なお、蓋体２は開閉型でなく取り外し可能としてもよい。
【００１５】
前記スタンド本体３は、前記蓋体２を保持する保持部３１と、前記保持部３１を支持する複数の脚部３２（３２ａ〜３２ｄ）と、前記複数の脚部３２の間に架設される補強部３３と、前記補助部３３に固着される袋掛け部３４で構成される。
前記保持部３１は、蓋体２を安定して保持できるよう蓋体２と同型あるいはわずかに小さく形成される。
そして、脚部３２は、図に示す一実施例では、少なくとも４本の脚部３２ａ〜ｄで、全体として略直方体形状を形成している。そして、前記略直方体形状の対向する側面を形成する前記脚部３２ａ〜ｄの間に補強部３３が架設され、その補強部３３に袋掛け部３４が固着され、一対の袋掛け部３４が形成されている。
図２では、脚部３２ａと３２ｂの間、脚部３２ｃと３２ｄの間に対向して補強部３３が架設され、それぞれの補強部３３に袋掛け部３４が固着されている。
【００１６】
前記補強部３３は、脚部３２の間に架設され、スタンド本体３の強度を高める梁的な役割を担うとともに、袋掛け部３４を強固に固着する役割も担っている。
前記袋掛け部３４は、土のう袋４を吊下げ、土砂を投入する間加重がかかるものであり、補強部３３は、その加重がかかる袋掛け部３４をしっかり固着する。
図１に示す一実施例では、袋掛け部３４を形成する部材をネジ止めしているが、溶接で固着してもよい。また、補強部３３と袋掛け部３４を一体に形成することもできる。
【００１７】
前記補強部３３に固着される一対の袋掛け部３４は、前述のとおり、土のう袋４を吊り下げるものである。そして、本考案では、前記袋掛け部３４を、蓋体２に備えられた土砂投入口２１の長さより長く構成する。すなわち、袋掛け部３４は、前記蓋体２の土砂投入口２１の長さに加えて、複数の土のう袋４を吊下げ可能な長さを備えてなる。
図３の本考案にかかる土のう製作補助具の説明図では、（ａ）の平面図に示すように土砂投入口２１が円形状なので、前記蓋体２の土砂投入口２１の長さαは概ね直径の長さである。図示はしないが、土砂投入口２１を多角形状とした場合であれば、その中心線の長さが土砂投入口２１の長さαとなる。
そして、複数の土のう袋４を吊下げ可能な長さβは、図３（ｂ）の側面図に示すように、土砂投入後に土のう袋４を引き出すのと反対側（図３（ｂ）では紙面視右側）に、複数の土のう袋４を吊下げ待機させることができるように調整される長さである。
すなわち、前記袋掛け部３４は。その長さγが、土砂投入口２１の長さαに、複数の土のう袋４を吊下げ可能な長さβを加えた長さで構成され、複数の土のう袋を吊り下げた状態で、土砂の投入が可能な長さを備える。
【００１８】
本考案にかかる土のう製作補助具１は、用途によって全体の大きさを調整することができる。
例えば、作業者がスコップ等で土砂を投入し土のうを製作する場合には、土のう袋４を縦６００〜６４０ｍｍ、横４３０〜４７０ｍｍ程度の大きさとし、土のう製作補助具１の土砂投入口２１の直径（α）を４３０〜４６０ｍｍ程度に形成する。そして、複数の土のう袋４を吊下げ可能な長さβを１６０〜１８０ｍｍ程度とすれば、袋掛け部３４は、６００〜６５０ｍｍ程度の長さを備える。
また、土砂の投入にコンベヤなどの機械を利用できる場合には、複数の土のう袋３４を吊下げ可能な長さβを更に長くし、袋掛け部３４に吊下げ待機させる枚数を多くすることができるよう構成すると、より効率的な作業が可能となる。
【００１９】
本実施例では、袋掛け部３４はＵ字形状とし、補強部３３に固着されているが、これは最も安定的に強固に補強部３３に固着できる形状であり好適であるが、この形状は特に限定するものではなく、土のう袋４への土砂の投入による加重に十分耐えうる形状で、かつ土砂投入後の土のう袋４を外しやすい形状であればよい。
【００２０】
本考案にかかる土のう製作補助具１に用いられる土のう袋４は、土のう袋本体４０の上部開口部４０ａの周縁に、前記袋掛け部３４に吊下げるための係止手段４１が設けられている。係止手段４１としては、前記袋掛け部３４に通しやすい大きさに穿設された貫通孔や、吊下げ用に固着された縄などが挙げられる。本実施例では係止手段４１として、一対の袋掛け部３４に通せるように土のう袋本体４０の上部開口部４０の周縁の左右に貫通孔を設けてある。前記貫通孔は、土のう袋本体４０の開口部４０ａを開くと全部で４個の係止手段４１となるので、安定して土のう袋４を吊下げることができる。
なお、一般に市販されている土のう袋４を使う場合には、同様に係止手段４１を形成すれば使用可能である。
【００２１】
図４及び図５の本考案にかかる土のう製作補助具の使用方法の説明図に基づいて、土のうの製作工程を説明する。
（ａ）土のう製作補助具１の蓋体２を開き、袋掛け部３４に土のう袋４を複数枚吊り下げてセットする（図４（ａ））。土のう袋４は、あらかじめ袋掛け部３４に吊り下げ可能にその上端の開口部４０の周縁の左右に係止手段４１として貫通孔などを形成しておくことが好ましい（図６参照）。
（ｂ）吊り下げた土のう袋４の１枚を、袋掛け部３４の手前にスライドさせ開口した状態に配置する（図４（ｂ））。
（ｃ）蓋体２を閉じ、土のう袋４の開口部４０と、土砂投入口２１の位置を調整する（図５（ｃ））。
（ｄ）土砂投入口２１から、土砂を投入する（図５（ｄ））。
その後、蓋体２を開き、袋掛け部３４から土のう袋４をスライドさせて取り外し、土のう袋４の端の紐４２を引いて絞りきつく結んで土のうを製作する。
１個の土のうが完成したら、再び上記（ｂ）工程から繰り返す。袋掛け部３４に吊り下げた土のう袋４がなくなったら、上記（ａ）工程から同様に繰り返す。
【００２２】
本考案の土のう製作補助具１は、あらかじめ土のう袋４を複数枚セットしておくことができ、大量に土のうを製作する場合に、いちいち一個作成するごとにセットする必要がない。また、複数人で作業する場合、土のう袋４を土砂投入口２１の下の位置にスライドさせる担当、土砂を投入する担当、土砂投入後の土のう袋４を取り外し、口を結ぶ担当、というように分担すれば、効率よく流れ作業のごとく土のうを製作することができる。
【産業上の利用可能性】
【００２３】
本考案にかかる土のう製作補助具は、土のう製作を効率よくするための補助具であって、蓋体とスタンド本体の簡単な構成で、全体の大きさの調整が容易なので、様々な大きさに作りやすく、用途が異なりサイズの違う土のうの製作にも対応できるものである。
また、袋体に商品や材料等を充填する作業全般に利用可能である。
【符号の説明】
【００２４】
１    土のう製作補助具
２    蓋体
２１  土砂投入口
３    スタンド本体
３１  保持部
３２  脚部
３３  補強部
３４  袋掛け部
４    土のう袋
４０  土のう袋本体
４０ａ  開口部
４１  係止手段
４２  紐
【図１】
0003226001.tif 000003
【図２】
0003226001.tif 000004
【図３】
0003226001.tif 000005
【図４】
0003226001.tif 000006
【図５】
0003226001.tif 000007
【図６】
0003226001.tif 000008
【手続補正書】
【提出日】令和2年2月14日(2020.2.14)
【手続補正１】
【補正対象書類名】実用新案登録請求の範囲
【補正対象項目名】全文
【補正方法】変更
【補正の内容】
【実用新案登録請求の範囲】
【請求項１】
土のう袋に土砂を充填し土のうを製作するために用いられる土のう製作補助具であって、
土砂を投入する土砂投入口を備えた蓋体と、前記蓋体を載置するスタンド本体とからなり、
前記スタンド本体が、
前記蓋体を保持する保持部と、
前記保持部を支持する複数の脚部と、
前記複数の脚部の間に架設される補強部と、
前記補強部に固着される袋掛け部と
からなることを特徴とする土のう製作補助具。
【請求項２】
前記スタンド本体が、少なくとも４本の脚部で略直方体形状を形成し、対向する側面を形成する前記脚部に前記補強部が架設され、前記補強部に袋掛け部が固着されて一対をなし、
前記補強部に固着される一対の袋掛け部が、前記蓋体の土砂投入口の長さに加えて、複数の土のう袋を吊下げる長さを備えてなることを特徴とする請求項１に記載の土のう製作補助具。
【請求項３】
前記蓋体が、スタンド本体に取り付けられてなることを特徴とする請求項１に記載の土のう製作補助具。
【請求項４】
請求項１〜３のいずれか一項に記載の土のう製作補助具に用いられる土のう袋であって、土のう袋本体の上部開口部の周縁に、前記袋掛け部に吊下げるための係止手段を設けてなることを特徴とする土のう製作補助具用土のう袋。